(57)【要約】【課題】操作入力のロック機能を備えた入力表示装置において、不用意にロック状態が解除されることを防止することを課題とする。【解決手段】入力部と、表示部と、タイマーと、ロック状態で表示する主の第１画面及びロック状態の解除入力を受け付ける副の第２画面の各画面情報をそれぞれ記憶する記憶手段と、ロック状態にて前記主の第１面表示中に入力があると前記副の第２画面を表示するとともに前記タイマーにて経過時間をカウントし、所定時間内に所定の解除入力がある場合はロック状態を解除し、所定時間内に所定の解除入力がない場合は前記第１画面表示に戻す制御を行う制御部とを具備する。【選択図】図１
2012059296.tif 000002
【特許請求の範囲】
【請求項１】
入力部と、表示部と、タイマーと、ロック状態で表示する主の第１画面及びロック状態の解除入力を受け付ける副の第２画面の各画面情報をそれぞれ記憶する記憶手段と、ロック状態にて前記主の第１面表示中に入力があると前記副の第２画面を表示するとともに前記タイマーにて経過時間をカウントし、所定時間内に所定の解除入力がある場合はロック状態を解除し、所定時間内に所定の解除入力がない場合は前記第１画面表示に戻す制御を行う制御部とを具備することを特徴とする入力表示装置。
【請求項２】
前記制御部は、前記主の第１画面表示中に前記所定の解除入力がある場合でもロック状態を解除せず、前記副の第２画面の表示が開始されてから所定時間内に所定の解除入力がある場合のみロック状態を解除する制御を行うことを特徴とする請求項１に記載の入力表示装置。
【請求項３】
前記第１画面は動画であることを特徴とする請求項１に記載の入力表示装置。
【発明の詳細な説明】
【技術分野】
【０００１】
本発明は、入力を禁止するロック機能を有する入力表示装置に関する。
【背景技術】
【０００２】
キーボード等の入力手段と入力された文字等を表示する表示手段とを備えた入力表示装置には、入力を禁止するロック機能を備えているものがある。このようなこの機能は、機械的にキー操作をできなくする方式と、ソフトウエアによって入力を無効にする方式とに大別される。また、この機能は、誤ってキーに触れた場合の誤操作を防止するためロック機能と、他人が使用できなくするためのロック機能とがあり、前者は操作説明書に記載された通りに特定のキー入力をするだけでロック状態を解除できるが、後者は暗証番号を入力しなければならず簡単にロック状態を解除できない。
【０００３】
特定のキー入力をする設定手順と解除の一例は、キーボード上のファンクションキー（“Ｆ”キー）と特定の数字キー（例えば“６”）を押すことでロック状態になり、ロック状態で同じ操作をするとロック状態が解除される。
【０００４】
暗証番号を入力するようにした設定手順と解除手順の一例は、装置の表示部に読み出されたメニュー画面上のファンクション項目からロック機能項目を利用者に選択させ、表示された画面にて利用者が所定の暗証番号を入力することでロックがかかり、再び所定の暗証番号を入力することでロックが解除されるようになっている。すなわち、ロックがかかると暗証番号以外の番号入力はすべて受け付けず無効にされ、暗証番号が入力されることでロックが解除される。
【発明の概要】
【発明が解決しようとする課題】
【０００５】
上記のようにソフトウエアによるロック機能は、ロック状態にて一切のキー入力を無効にするものではなく所定の入力は受け付けて決められた処理を行うようにしてある。そのため、従来のようにロック状態にて誤接触等で偶然に特定のキー入力がされてしまい解除されてしまう恐れがある。
【０００６】
また、装置がロック状態にある場合、表示画面の片隅にロック状態を示すシンボルマークを表示するものもあるが、目立つものではなく、大抵はキー入力をして、はじめてロックしていたことに気付くことが多い。したがって、利用者が簡単に識別できる表示の仕方が望まれる。
【課題を解決するための手段】
【０００７】
上記従来技術の課題を解決するために本発明の入力表示装置は、入力部と、表示部と、タイマーと、ロック状態で表示する主の第１画面及びロック状態の解除入力を受け付ける副の第２画面の各画面情報をそれぞれ記憶する記憶手段と、ロック状態にて前記主の第１面表示中に入力があると前記副の第２画面を表示するとともに前記タイマーにて経過時間をカウントし、所定時間内に所定の解除入力がある場合はロック状態を解除し、所定時間内に所定の解除入力がない場合は前記第１画面表示に戻す制御を行う制御部とを具備する。また、前記第１画面は動画にする。
【発明の効果】
【０００８】
本発明の入力表示装置によれば、ロック状態で表示する主の第１画面表示中に入力があると副の第２画面となり、さらに所定時間内に解除操作をしなければ主の第１画面表示に戻るので、誤接触等で偶然にロック状態が解除されてしまうといった恐れがほとんど無くなる。
【０００９】
さらに、主の第１画面を動画にすることで、利用者は一目瞭然にロック状態を判別でき、すみやかに副の第２画面に移行して解除操作を行うことができる。
【図面の簡単な説明】
【００１０】
【図１】本発明の一実施形態を示す入力表示装置のブロック図。
【図２】（ａ）（ｂ）（ｃ）は本発明の一実施形態を示す制御フローチャート。
【発明を実施するための形態】
【００１１】
図１は本発明の一実施形態を示す入力表示装置のブロック図で、無線装置に接続した例を示すものである。ＣＰＵ１１、表示部１２、キー入力部１３、無線装置１４、記憶装置（ＲＯＭ，ＲＡＭ）１５より構成され、この記憶装置１５の中に表示用情報（短編のアニメーション、解除入力受付画面等）を記憶している。表示部１２はバックライトできる表示装置である。ＣＰＵ１１は記憶装置１５のアニメーション情報を表示部へ渡しアニメーションを表示させることができる。無線装置１４が通常の待ち受け状態にあるとき、無線機能に関わる情報、又は日付、時刻情報を表示する。この状態で特定の操作をキー入力部１３にて行うとＣＰＵ１１は入力情報を判別して装置を通常操作のキー入力を禁止するロック状態とすると同時に、表示部１２は上述のアニメーション動作の表示にする。
【００１２】
このロック状態では、キー入力部１３からの入力があるとＣＰＵ１１はアニメーション動作の表示を中断し、表示部１２をロック状態を解除するための解除入力受付画面に切り替える。ここでＣＰＵ１１のソフトタイマーを起動し所定の時間内にキー入力部１３からの入力があるとＣＰＵ１１はキー入力情報を判別し所定の入力情報（暗証番号）であった場合はロック状態を解除し通常の待ち受け画面に戻る。もし、判別した結果が所定の入力情報（暗証番号）でなく、所定の時間内に所定の入力情報（暗証番号）の入力がされない場合は、アニメーション動作の表示画面に戻す。
【００１３】
なお、ロック中でも無線装置１４は動作していて、呼び出しがあるとアニメーション動作の表示を中断して利用者が通話を行う着信画面になり、利用者はロック状態に関係なく通話操作に入れる。
【００１４】
図２（ａ）（ｂ）（ｃ）は制御フローチャートを示す。（ａ）は通常の入力画面でのフロー、（ｂ）はロック状態にてアニメーション表示でのフロー、（ｃ）はロック状態での解除入力受付画面でのフローである。（ａ）においては通常の入力画面表示状態にて、キー入力の有無を判定し、キー入力があるとロック機能の設定操作（暗証番号の入力）であるかどうか判定する（ステップ１０１〜１０３）。ロック機能の設定操作である場合、（ｂ）のフローに進む。（ｂ）においてはロック状態となりアニメーションを表示状態にて、入力があるかどうかを判定する（ステップ２０１〜２０３）。入力があると（ｃ）のフローに進む。（ｃ）においてはロック状態のまま解除入力受付画面を表示するとともにタイマーをスタートする（ステップ３０１）。この状態にて所定時間内であるかどうかを判定し、キー入力の有無を判定し、キー入力があると解除操作であるかどうかの判定、（ステップ３０２〜３０５）を行い、所定時間内に解除操作がされない場合は（ｂ）のフローに戻り、ロック状態のままアニメーション表示を再開する。所定時間内に解除操作がされた場合は、ロックを解除し（ステップ３０６）、通常の入力画面に戻る。
【符号の説明】
【００１５】
１１：ＣＰＵ
１２：表示部
１３：キー入力部
１４：記憶装置
１５：無線装置
【図１】
2012059296.tif 000003
【図２】
2012059296.tif 000004
【手続補正書】
【提出日】平成23年12月19日(2011.12.19)
【手続補正１】
【補正対象書類名】特許請求の範囲
【補正対象項目名】全文
【補正方法】変更
【補正の内容】
【特許請求の範囲】
【請求項１】
入力部と、
表示部と、
タイマーと、
ロック状態で表示する第１画面表示中に当該第１画面表示を切り替えるための入力があると、第２画面を表示するとともに前記タイマーにて経過時間をカウントし、所定時間内に入力がある場合はロック状態を解除して前記ロック状態が解除された画面に移行させ、所定時間内に入力がない場合は前記第１画面表示に戻す制御を行う制御部と、
を具備することを特徴とする無線電話装置。
【請求項２】
無線部を更に備え、
前記制御部は、前記第１画面表示中に着信があると、当該第１画面表示を切り替えて、前記ロック状態に関わらず通話操作を行うことができる着信画面を表示することを特徴とする無線電話装置。
【手続補正２】
【補正対象書類名】明細書
【補正対象項目名】０００７
【補正方法】変更
【補正の内容】
【０００７】
上記従来技術の課題を解決するために本発明の無線電話装置は、入力部と、表示部と、タイマーと、ロック状態で表示する第１画面表示中に当該第１画面表示を切り替えるための入力があると、前記第２画面を表示するとともに前記タイマーにて経過時間をカウントし、所定時間内に入力がある場合はロック状態を解除して前記ロック状態が解除された画面に移行させ、所定時間内に入力がない場合は前記第１画面表示に戻す制御を行う制御部と、を具備する。